(57)【特許請求の範囲】
【請求項１】
逆円錐体状の単一のステム部12を有する骨内挿入部２と、骨端面形成部３と、がアパタイトにより一体形成されると共に脛骨４の傷病した左右一方の頭部41を切除した部分に打ち込まれる複数本の脛骨補強材１をもって、構成される脛骨補強材セットであって、
上記脛骨補強材１は、複数本並べられて打ち込まれることで人工関節10を載置するための連続状平面31を形成する緩やかな球凸面状乃至平面状の上面30を、有し、
さらに、上記複数本の脛骨補強材１のうち、切除されずに残った左右他方の頭部42の側面に接近して打ち込まれる上記脛骨補強材１の上面30は、円形から、健常骨を対応させる部分が、切欠かれていることを特徴とする脛骨補強材セット。
【請求項２】
逆四角錐体状の単一のステム部12を有する骨内挿入部２と、骨端面形成部３と、がアパタイトにより一体形成されると共に脛骨４の傷病した左右一方の頭部41を切除した部分に打ち込まれる複数本の脛骨補強材１をもって、構成される脛骨補強材セットであって、
上記脛骨補強材１は、隙間無く並べられて人工関節10を載置するための連続状平面31を形成する正方形状で平面状の上面30を、有していることを特徴とする脛骨補強材セット。
【発明の詳細な説明】
【０００１】
【発明の属する技術分野】
本発明は、脛骨補強材に関する。
【０００２】
【従来の技術】
脛骨骨端に腫瘍を生じたり、損傷した場合等に、骨端の一部を削り取り、人工骨を配置したり、人工関節に置き換えたりする治療が施されることがある。このような場合に、従来では、骨端の一部を、荷重が作用する方向に対して斜め下方の外方に向けて滑り落ちるような傾斜を付けて切除することがあった。
【０００３】
【発明が解決しようとする課題】
しかし、上述のように、骨端を、斜めに切除した場合には、その欠損部に合わせて人工骨を配置しても、移動しやすく、しっかりと人工骨を定着させるのは容易ではなかった。
【０００４】
そこで、本発明は、滑り落ちることなく、人工関節を施すのに好適な脛骨補強材セットを提供することを目的とする。
【０００５】
【課題を解決するための手段】
上述の目的を達成するために、本発明は、逆円錐体状の単一のステム部を有する骨内挿入部と、骨端面形成部と、がアパタイトにより一体形成されると共に脛骨の傷病した左右一方の頭部を切除した部分に打ち込まれる複数本の脛骨補強材をもって、構成される脛骨補強材セットであって、上記脛骨補強材は、複数本並べられて打ち込まれることで人工関節を載置するための連続状平面を形成する緩やかな球凸面状乃至平面状の上面を、有し、さらに、上記複数本の脛骨補強材のうち、切除されずに残った左右他方の頭部の側面に接近して打ち込まれる上記脛骨補強材の上面は、円形から、健常骨を対応させる部分が、切欠かれてなるものである。
【０００６】
また、逆四角錐体状の単一のステム部を有する骨内挿入部と、骨端面形成部と、がアパタイトにより一体形成されると共に脛骨の傷病した左右一方の頭部を切除した部分に打ち込まれる複数本の脛骨補強材をもって、構成される脛骨補強材セットであって、上記脛骨補強材は、隙間無く並べられて人工関節を載置するための連続状平面を形成する正方形状で平面状の上面を、有しているものである。
【０００７】
【発明の実施の形態】
以下、実施の形態を示す図面に基づき、本発明の脛骨補強材セットを詳説する。
【０００８】
図１乃至図３は、実施の各形態を示す脛骨補強材の斜視図で、これらの図に於て、符号１で示す脛骨補強材は、下部に形成される（１本のステム部12から成る）骨内挿入部２と、上部に形成される骨端面形成部３と、が生体組織との親和性の良好なアパタイトにより一体的に形成される。
【０００９】
その骨内挿入部２は、脛骨４（図４（Ａ）（Ｂ）（Ｃ）参照）内に挿入されて固定されるため、その先端が先尖り状に形成される。また、強度が必要とされるため、その内部を緻密質アパタイトで形成して、その外側に多孔質アパタイトとするのが好ましい。
【００１０】
一方、骨端面形成部３の上面30は、平面状に形成され、人工関節載置用平面をなす。従って、充分な剛性が必要とされるため、その上面30及びその近傍は緻密質アパタイトで形成されることが望ましい。
【００１１】
ところで、本発明に於て、アパタイトとは、広義でのリン酸カルシウム系焼結体を言うものと定義する。なお、その中、ハイドロキシアパタイトが強度的に優れ、最も好ましい素材である。その緻密質体は、気孔率が０〜20％のものであり、多孔質体は、気孔率が60〜80％である。
【００１２】
緻密質体の気孔率が20％を越えると、強度の低下が甚だしくなるため好ましくない。また、多孔質体の気孔率が60％未満になると、骨に置換される時間が長くかかり過ぎる。気孔率が80％を越えると、強度が低下するため、損壊する虞がある。
【００１３】
図１に示す脛骨補強材１は、複数個を組み合わせて用いることができるように小さく形成され、その全体が、やや細長い四角錐体状とされ、骨端面形成部３の上面30が正方形状の平坦な平面状となっている。このような脛骨補強材１を用いた施術では、例えば、図４（Ａ）（Ｂ）（Ｃ）に示すような処置を採ることができる。
【００１４】
すなわち、まず、図４（Ａ）に示すように、脛骨４のハッチングで示す（傷病により削除すべき）右頭部41を切除し、次いで、図４（Ｂ）に示すように、その切除された部分に、複数本の脛骨補強材１…を打ち込み、その骨端面形成部３…の上面30…を並べて連続状平面31を形成する。
【００１５】
そして、図４（Ｃ）に示すように、その左頭部42の一部をも、各骨端面形成部３…の連続状平面31と高さレベルを一致させて、平坦に切除することにより、新たな平面421 を形成し、これらで、広い面一状の平面５を確保するようにする。この平面５上に、人工関節10を載置する。
【００１６】
脛骨４内に打ち込まれた骨内挿入部２は、その表面の多孔質アパタイトが、速やかに骨置換され、かつ、内部の緻密質アパタイトによって強度が確保されるため、脛骨補強材１は所定の部位にしっかりと固定され、従来のように、術後に移動するような不具合の発生は懸念するには及ばない。
【００１７】
このような小さな脛骨補強材１を用いる場合には、切除部の大きさに応じて、打ち込む数を適宜に調整することにより、柔軟に対処できる利点がある。なお、症状に応じて、単独で用いてもよく、後述するその他の脛骨補強材１…と組み合わせて用いてもよい。
【００１８】
図２に示す脛骨補強材１では、側壁がやや絞られた逆円錐体状に形成され、先尖り状の骨内挿入部２（ステム部12）の上に、緩やかな球凸面状や平面状の上面30を有する骨端面形成部３が、一体に形成されている。
【００１９】
図３に示す脛骨補強材１では、健常骨用に、骨端面形成部３の一部が切り欠かれたものであり、この場合、その切り欠かれた部分には、切除されずに後に残った脛骨の左頭部42（図４（Ａ）参照）を対応させるようにする。
【００２０】
【発明の効果】
（請求項１によれば）骨内挿入部２と骨端面形成部３とがアパタイトにより一体的に形成されるので、生体組織との親和性が良好で、違和感がなく、耐久性も良好であり、かつ、骨内挿入部２を脛骨４内に打ち込むので、移動することなく、安定姿勢で強固に定着する。
また、骨端面形成部３の上面30を、緩やかな球凸面状乃至平面状に形成するので、その上に人工関節を安定に載設することができる。
【００２１】
また、連続状平面31を、複数の脛骨補強材１…の骨端面形成部３…の上面30…により形成するので、症状に応じて、最適な人工関節載置用面積を確保することができる。
また、骨端面形成部３の上面30の一部を、健常骨用を対応させるために切欠いているので、脛骨の頭部を一部残して、確実に、無駄な間隙なく、取付できる。
さらに、上面30（平面31）が人工関節載置用平面をなすので、別途、人工関節載置用平面を形成する必要がなくなる。
【００２２】
（請求項２によれば）骨内挿入部２と骨端面形成部３とがアパタイトにより一体的に形成されるので、生体組織との親和性が良好で、違和感がなく、耐久性も良好であり、かつ、骨内挿入部２を脛骨４内に打ち込むので、移動することなく、安定姿勢で強固に定着する。
また、骨端面形成部３の上面30を、平面状に形成するので、その上に人工関節を安定に載設することができる。
【００２３】
また、連続状平面31を、複数の脛骨補強材１…の骨端面形成部３…の上面30…により形成するので、症状に応じて、最適な人工関節載置用面積を確保することができる。
また、上面30が正方形状の平面であるので、脛骨の頭部を一部残して、確実に、無駄な間隙なく、取付できる。
さらに、上面30（平面31）が人工関節載置用平面をなすので、別途、人工関節載置用平面を形成する必要がなくなる。
【図面の簡単な説明】
【図１】本発明の脛骨補強材セットの実施の一形態を示す斜視図である。
【図２】他の実施の形態を示す斜視図である。
【図３】別の実施の形態を示す斜視図である。
【図４】施術の説明図である。
【符号の説明】
１    脛骨補強材
２    骨内挿入部
３    骨端面形成部
４    脛骨
10    人工関節
12    ステム部
30    上面
31    平面
41    （左右一方の）頭部
42    （左右他方の）頭部
【図１】
0003559216.tif 000002
【図２】
0003559216.tif 000003
【図３】
0003559216.tif 000004
【図４】
0003559216.tif 000005